(57)【要約】【課題】現在再生中の番組の関連番組を連続して再生できるようにし、また、スキップ操作によりスキップ先の関連番組の再生に移行できるようにする。【解決手段】番組を記録する際に当該番組に関するＥＰＧ情報が有ると判定したときＥＰＧ情報に含まれる番組名と当該番組の記録日時とを当該番組の第１の付加情報として記録媒体に記録させ、当該番組に関するＥＰＧ情報が無いと判定したとき当該番組の記録日時と曜日とチャンネル番号とを当該番組の第２の付加情報として記録媒体に記録させる。番組を再生時に当該番組に関連する第１の付加情報が有れば第１の付加情報を、第２の付加情報が有れば第２の付加情報をメモリに格納し、当該番組の再生が終了した後、メモリに格納されている第１の付加情報または第２の付加情報に基づいて当該番組の関連番組が有ると判定したとき関連番組を引き続き再生させる。【選択図】図３
2008035163.tif 000002
【特許請求の範囲】
【請求項１】
テレビ放送信号を受信して選局するチューナを有し、このチューナで選局された番組や、その他の情報を記録媒体に記録したり、前記記録媒体に記録された情報を再生したりする情報記録再生装置において、
番組を前記記録媒体に記録する際に、当該番組に関するＥＰＧ情報が有るか無いかを判定するＥＰＧ有無判定手段と、当該番組に関するＥＰＧ情報が有ると判定されたときに、前記ＥＰＧ情報に含まれる番組名と当該番組の記録日時とを当該番組の第１の付加情報として前記記録媒体に記録させる第１の付加情報記録手段と、当該番組に関するＥＰＧ情報が無いと判定されたときに、当該番組の記録日時と曜日とチャンネル番号とを当該番組の第２の付加情報として前記記録媒体に記録させる第２の付加情報記録手段とを有する記録制御部を備えると共に、
前記記録媒体に記録された番組を再生時に、当該番組に関連する第１の付加情報が有るか当該番組に関連する第２の付加情報が有るかを判定する付加情報判定手段と、当該番組に関連する第１の付加情報が有ると判定されたときには第１の付加情報をメモリに格納し、当該番組に関連する第２の付加情報が有ると判定されたときには第２の付加情報を前記メモリに格納する付加情報格納手段と、当該番組の再生が終了した後、当該番組の関連番組が前記記録媒体に有るか無いかを前記メモリに格納された第１の付加情報または第２の付加情報に基づいて判定する関連番組有無判定手段と、当該番組の関連番組が有ると判定されたときに、当該番組の関連番組を引き続き前記記録媒体から再生させる関連番組再生手段と、当該番組の再生時にスキップ操作されたときには、スキップ先に当該番組の関連番組が有る場合、スキップ先の関連番組を再生させるスキップ先関連番組再生手段とを有する再生制御部を備えたことを特徴とする情報記録再生装置。
【請求項２】
テレビ放送信号を受信して選局するチューナを有し、このチューナで選局された番組や、その他の情報を記録媒体に記録したり、前記記録媒体に記録された情報を再生したりする情報記録再生装置において、
番組を前記記録媒体に記録する際に、当該番組に関するＥＰＧ情報が有ると判定したときに、前記ＥＰＧ情報に含まれる番組名と当該番組の記録日時とを当該番組の第１の付加情報として前記記録媒体に記録させ、当該番組に関するＥＰＧ情報が無いと判定したときに、当該番組の記録日時と曜日とチャンネル番号とを当該番組の第２の付加情報として前記記録媒体に記録させる記録制御部を備えると共に、
前記記録媒体に記録された番組を再生時に、当該番組に関連する第１の付加情報が有ると判定したときには第１の付加情報をメモリに格納し、当該番組に関連する第２の付加情報が有ると判定したときには第２の付加情報を前記メモリに格納し、当該番組の再生が終了した後、前記メモリに格納されている第１の付加情報または第２の付加情報に基づいて、当該番組の関連番組が有ると判定したときに、当該番組の関連番組を引き続き前記記録媒体から再生させ、当該番組の再生時にスキップ操作されたときには、スキップ先に当該番組の関連番組が有る場合、スキップ先の関連番組を再生させる再生制御部を備えたことを特徴とする情報記録再生装置。
【請求項３】
前記記録制御部は、番組を前記記録媒体に記録する際に、当該番組に関するＥＰＧ情報が有るか無いかを判定するＥＰＧ有無判定手段と、当該番組に関するＥＰＧ情報が有ると判定されたときに、前記ＥＰＧ情報に含まれる番組名と当該番組の記録日時とを当該番組の第１の付加情報として前記記録媒体に記録させる第１の付加情報記録手段と、当該番組に関するＥＰＧ情報が無いと判定されたときに、当該番組の記録日時と曜日とチャンネル番号とを当該番組の第２の付加情報として前記記録媒体に記録させる第２の付加情報記録手段とを有することを特徴とする請求項２に記載の情報記録再生装置。
【請求項４】
前記再生制御部は、前記記録媒体に記録された番組を再生時に、当該番組に関連する第１の付加情報が有るか当該番組に関連する第２の付加情報が有るかを判定する付加情報判定手段と、当該番組に関連する第１の付加情報が有ると判定されたときには第１の付加情報をメモリに格納し、当該番組に関連する第２の付加情報が有ると判定されたときには第２の付加情報を前記メモリに格納する付加情報格納手段と、当該番組の再生が終了した後、当該番組の関連番組が前記記録媒体に有るか無いかを前記メモリに格納された第１の付加情報または第２の付加情報に基づいて判定する関連番組有無判定手段と、当該番組の関連番組が有ると判定されたときに、当該番組の関連番組を引き続き前記記録媒体から再生させる関連番組再生手段と、当該番組の再生時にスキップ操作されたときには、スキップ先に当該番組の関連番組が有る場合、スキップ先の関連番組を再生させるスキップ先関連番組再生手段とを有することを特徴とする請求項２に記載の情報記録再生装置。
【発明の詳細な説明】
【技術分野】
【０００１】
本発明は、テレビ放送信号を受信して選局するチューナを有し、このチューナで選局された番組や、その他の情報を記録媒体に記録したり、前記記録媒体に記録された情報を再生したりする情報記録再生装置に関し、特に、当該番組に関連する番組に対する再生処理に関する。
【背景技術】
【０００２】
現在社会においては、テレビ放送の役割は計り知れなく、音声と共に映像情報を視聴者の元に直接届けるテレビ放送の影響は大きい。放送技術は、信号処理、送受信処理、音声や映像の情報処理など、幅広い技術を必要とする。テレビ受信機は、殆どの家庭に設置されており、各放送局から配信される番組は、不特定多数の人々によって視聴されている。また、番組を視聴する他の形態として、受信した番組を視聴者側の情報記録再生装置で一旦記録しておき、好きな時間帯に再生するということが挙げられる。
【０００３】
最近ではデジタル技術の発達により、映像と音声から成る映像音声データを大量に蓄積することができるハードディスクを搭載したハードディスク装置が普及している。ハードディスクは、記録データをランダムにアクセスすることが可能であり、記録情報を再生するときは、従来のビデオテープのように、記録した番組を単に先頭から順に再生する必要がなく、好きな番組から直接再生を開始することができる。
【特許文献１】特開２００２−７７７８８号公報
【特許文献２】特開２００４−３５７１８４号公報
【特許文献３】特開２００５−１０２１０９号公報
【発明の開示】
【発明が解決しようとする課題】
【０００４】
しかしながら、ハードディスクの大容量化に伴い、数十時間分にも及ぶ番組記録が可能なハードディスク装置などの情報記録再生装置においては、多数の番組が記録されている場合には、記録日時の順に表示された番組名の再生リストから目的の番組を探し出すのに手間がかかる。例えば、連続ドラマがハードディスクに記録されている場合、第一話目が再生された後、第二話目を再生したい場合、他の番組も含め、記録日時の順に記録されているので、第二話目を再生リストから探し出すのに、大変手間がかかる。要するに、従来の情報記録再生装置では、番組の種類に関係なく記録日時の順に記録されるので、連続ドラマのような関連番組を再生するような場合、当該番組の関連番組を探すのに手間がかかるという課題が生じる。
【０００５】
なお、特許文献１の従来技術では、ユーザから将来放送される番組の再生要求がされると、その再生要求された番組と同一の番組、あるいはその番組に関連する番組が、既に録画されているか否かが、番組表に含まれている番組対応付け情報から、検索され、同一番組あるいは関連番組が存在すれば、それらの番組をユーザに提供するようにしているが、連続ドラマのような関連番組を再生するような場合に、関連番組を自動的に連続して再生することができないので、便利さに欠ける点があるという課題が生じる。
【０００６】
特許文献２の従来技術は、ユーザが再生中または視聴中の番組から選択した番組を基点番組に設定して、これに関する他の番組を関連の強い順にユーザに指示するようにしているが、この従来技術も、連続ドラマのような関連番組を再生するような場合に、関連番組を自動的に連続して再生することができないので、便利さに欠ける点があるという課題が生じる。
【０００７】
特許文献３の従来技術は、ユーザが再生中または視聴中の番組あるいはＥＰＧなどの所定の番組表から選択した番組を基点番組に設定して、基点番組との関連度に基づいて、基点番組と関連する番組をユーザに提示するようにしているが、この従来技術も、連続ドラマのような関連番組を再生するような場合に、関連番組を自動的に連続して再生することができないので、便利さに欠ける点があるという課題が生じる。
【０００８】
本発明は、上記のような課題を解決するためになされたもので、現在再生中の番組の関連番組を見付け出し、それらの関連番組を連続して再生することができるようにし、また、スキップ操作されたときにスキップ先の関連番組の再生に移行することができるようにする情報記録再生装置を提供することを目的とする。
【課題を解決するための手段】
【０００９】
上記目的を達成するために、請求項１の発明は、番組を前記記録媒体に記録する際に、当該番組に関するＥＰＧ（電子番組ガイド）情報が有るか無いかを判定するＥＰＧ有無判定手段と、当該番組に関するＥＰＧ情報が有ると判定されたときに、前記ＥＰＧ情報に含まれる番組名と当該番組の記録日時とを当該番組の第１の付加情報として前記記録媒体に記録させる第１の付加情報記録手段と、当該番組に関するＥＰＧ情報が無いと判定されたときに、当該番組の記録日時と曜日とチャンネル番号とを当該番組の第２の付加情報として前記記録媒体に記録させる第２の付加情報記録手段とを有する記録制御部を備えると共に、前記記録媒体に記録された番組を再生時に、当該番組に関連する第１の付加情報が有るか当該番組に関連する第２の付加情報が有るかを判定する付加情報判定手段と、当該番組に関連する第１の付加情報が有ると判定されたときには第１の付加情報をメモリに格納し、当該番組に関連する第２の付加情報が有ると判定されたときには第２の付加情報を前記メモリに格納する付加情報格納手段と、当該番組の再生が終了した後、当該番組の関連番組が前記記録媒体に有るか無いかを前記メモリに格納された第１の付加情報または第２の付加情報に基づいて判定する関連番組有無判定手段と、当該番組の関連番組が有ると判定されたときに、当該番組の関連番組を引き続き前記記録媒体から再生させる関連番組再生手段と、当該番組の再生時にスキップ操作されたときには、スキップ先に当該番組の関連番組が有る場合、スキップ先の関連番組を再生させるスキップ先関連番組再生手段とを有する再生制御部を備えたことを特徴とする情報記録再生装置を提供する。
【００１０】
この構成において、番組を記録媒体に記録する際、ＥＰＧ有無判定手段は、当該番組に関するＥＰＧ情報が有るか無いかを判定する。テレビ放送信号にＥＰＧ情報が含まれていて、このＥＰＧ情報を受信することが可能な場合には、当該番組に関するＥＰＧ情報が有ると判定されるが、テレビ放送信号にＥＰＧ情報が含まれていても、このＥＰＧ情報を受信することが不可能な場合や、テレビ放送信号にＥＰＧ情報が含まれていない場合には、当該番組に関するＥＰＧ情報は無いと判定される。
【００１１】
当該番組に関するＥＰＧ情報が有ると判定されたときは、第１の付加情報記録手段は、当該番組に関するＥＰＧ情報に含まれる番組名と当該番組の記録日時とを当該番組の第１の付加情報として、記録媒体に記録させる。当該番組に関するＥＰＧ情報が無いと判定されたときは、第２の付加情報記録手段は、当該番組の記録日時と曜日とチャンネル番号とを当該番組の第２の付加情報として、記録媒体に記録させる。
【００１２】
記録媒体に記録された番組を再生時に、付加情報判定手段は、当該番組に関連する番組名と記録日時と示す第１の付加情報が有るか、当該番組に関連する記録日時と曜日とチャンネル番号とを示す第２の付加情報が有るかを判定する。当該番組に関連する第１の付加情報が有ると判定されたときには、付加情報格納手段は、第１の付加情報をメモリに格納し、当該番組に関連する第２の付加情報が有ると判定されたときには、その付加情報格納手段は、第２の付加情報をメモリに格納する。
【００１３】
当該番組の再生が終了した後、関連番組有無判定手段は、当該番組の関連番組が記録媒体に有るか無いかを、メモリに格納された第１の付加情報または第２の付加情報に基づいて判定する。即ち、第１の付加情報に含まれる番組名が同じ番組は、それぞれ関連する番組になり、また、第２の付加情報に含まれる記録日時のうち記録時刻と曜日とチャンネル番号とが同じ番組は、それぞれ関連する番組になる。したがって、当該番組の関連番組が記録媒体に有るか無いかを、メモリに格納された第１の付加情報または第２の付加情報に基づいて判定することができる。当該番組の関連番組が有ると判定されたときには、関連番組再生手段は、当該番組の関連番組を記録日時の順に引き続き記録媒体から読み出し、関連番組の再生を開始させる。
【００１４】
また、当該番組の再生時にスキップ操作されたときには、スキップ先に当該番組の関連番組が有る場合、スキップ先関連番組再生手段は、スキップ先の関連番組を再生させる。即ち、当該番組が再生終了であると判定されるまでに、スキップキーが押下されると、記録順に従って、関連番組がスキップされ、スキップ先の関連番組が再生されることになる。
【００１５】
この構成によれば、当該番組に関連する番組名と記録日時と示す第１の付加情報、または当該番組に関連する記録日時と曜日とチャンネル番号とを示す第２の付加情報に基づいて、現在再生中の番組の関連番組を見付け出し、それらの関連番組を連続して再生することができるようになり、また、スキップ操作されたときにスキップ先の関連番組の再生に移行することができるようになる。即ち、この構成によれば、記録媒体に多数の番組が記録されていても、現在再生中の番組の関連番組を容易に見付け出し、それらの関連番組を連続して再生することができるので、ユーザにとっては、現在再生中の番組の関連番組を探す手間が省けて便利になる。また、関連番組の間でスキップさせることができるので、関連番組の中で早く視聴したい番組を再生させることができ、ユーザにとっては、使い勝手が良くなる。
【００１６】
請求項２の発明は、番組を前記記録媒体に記録する際に、当該番組に関するＥＰＧ情報が有ると判定したときに、前記ＥＰＧ情報に含まれる番組名と当該番組の記録日時とを当該番組の第１の付加情報として前記記録媒体に記録させ、当該番組に関するＥＰＧ情報が無いと判定したときに、当該番組の記録日時と曜日とチャンネル番号とを当該番組の第２の付加情報として前記記録媒体に記録させる記録制御部を備えると共に、前記記録媒体に記録された番組を再生時に、当該番組に関連する第１の付加情報が有ると判定したときには第１の付加情報をメモリに格納し、当該番組に関連する第２の付加情報が有ると判定したときには第２の付加情報を前記メモリに格納し、当該番組の再生が終了した後、前記メモリに格納されている第１の付加情報または第２の付加情報に基づいて、当該番組の関連番組が有ると判定したときに、当該番組の関連番組を引き続き前記記録媒体から再生させ、当該番組の再生時にスキップ操作されたときには、スキップ先に当該番組の関連番組が有る場合、スキップ先の関連番組を再生させる再生制御部を備えたことを特徴とする情報記録再生装置を提供する。
【００１７】
この構成において、記録制御部は、番組を前記記録媒体に記録する際に、当該番組に関するＥＰＧ情報が有ると判定したときに、前記ＥＰＧ情報に含まれる番組名と当該番組の記録日時とを当該番組の第１の付加情報として前記記録媒体に記録させ、当該番組に関するＥＰＧ情報が無いと判定したときに、当該番組の記録日時と曜日とチャンネル番号とを当該番組の第２の付加情報として前記記録媒体に記録させる。
【００１８】
再生制御部は、前記記録媒体に記録された番組を再生時に、当該番組に関連する第１の付加情報が有ると判定したときには第１の付加情報をメモリに格納し、当該番組に関連する第２の付加情報が有ると判定したときには第２の付加情報を前記メモリに格納し、当該番組の再生が終了した後、前記メモリに格納されている第１の付加情報または第２の付加情報に基づいて、当該番組の関連番組が有ると判定したときに、当該番組の関連番組を引き続き前記記録媒体から再生させ、当該番組の再生時にスキップ操作されたときには、スキップ先に当該番組の関連番組が有る場合、スキップ先の関連番組を再生させる。
【００１９】
この構成によれば、当該番組に関連する番組名と記録日時と示す第１の付加情報、または当該番組に関連する記録日時と曜日とチャンネル番号とを示す第２の付加情報に基づいて、現在再生中の番組の関連番組を見付け出し、それらの関連番組を連続して再生することができるようになり、また、スキップ操作されたときにスキップ先の関連番組の再生に移行することができるようになる。即ち、この構成によれば、記録媒体に多数の番組が記録されていても、現在再生中の番組の関連番組を容易に見付け出し、それらの関連番組を連続して再生することができるので、ユーザにとっては、現在再生中の番組の関連番組を探す手間が省けて便利になる。また、関連番組の間でスキップさせることができるので、関連番組の中で早く視聴したい番組を再生させることができ、ユーザにとっては、使い勝手が良くなる。
【００２０】
請求項３の発明では、請求項２の発明において、前記記録制御部は、番組を前記記録媒体に記録する際に、当該番組に関するＥＰＧ情報が有るか無いかを判定するＥＰＧ有無判定手段と、当該番組に関するＥＰＧ情報が有ると判定されたときに、前記ＥＰＧ情報に含まれる番組名と当該番組の記録日時とを当該番組の第１の付加情報として前記記録媒体に記録させる第１の付加情報記録手段と、当該番組に関するＥＰＧ情報が無いと判定されたときに、当該番組の記録日時と曜日とチャンネル番号とを当該番組の第２の付加情報として前記記録媒体に記録させる第２の付加情報記録手段とを有するので、記録媒体に記録された番組の関連番組を第１の付加情報または第２の付加情報に基づいて検索することが可能になる。
【００２１】
請求項４の発明では、請求項２の発明において、前記再生制御部は、前記記録媒体に記録された番組を再生時に、当該番組に関連する第１の付加情報が有るか当該番組に関連する第２の付加情報が有るかを判定する付加情報判定手段と、当該番組に関連する第１の付加情報が有ると判定されたときには第１の付加情報をメモリに格納し、当該番組に関連する第２の付加情報が有ると判定されたときには第２の付加情報を前記メモリに格納する付加情報格納手段と、当該番組の再生が終了した後、当該番組の関連番組が前記記録媒体に有るか無いかを前記メモリに格納された第１の付加情報または第２の付加情報に基づいて判定する関連番組有無判定手段と、当該番組の関連番組が有ると判定されたときに、当該番組の関連番組を引き続き前記記録媒体から再生させる関連番組再生手段と、当該番組の再生時にスキップ操作されたときには、スキップ先に当該番組の関連番組が有る場合、スキップ先の関連番組を再生させるスキップ先関連番組再生手段とを有するので、第１の付加情報または第２の付加情報に基づいて、現在再生中の番組の関連番組を見付け出し、それらの関連番組を連続して再生することができるようになり、また、スキップ操作されたときにスキップ先の関連番組の再生に移行することができるようになる。
【発明の効果】
【００２２】
以上のように本発明によれば、番組を前記記録媒体に記録する際に、当該番組に関するＥＰＧ情報が有るか無いかを判定するＥＰＧ有無判定手段と、当該番組に関するＥＰＧ情報が有ると判定されたときに、前記ＥＰＧ情報に含まれる番組名と当該番組の記録日時とを当該番組の第１の付加情報として前記記録媒体に記録させる第１の付加情報記録手段と、当該番組に関するＥＰＧ情報が無いと判定されたときに、当該番組の記録日時と曜日とチャンネル番号とを当該番組の第２の付加情報として前記記録媒体に記録させる第２の付加情報記録手段とを有する記録制御部を備えると共に、前記記録媒体に記録された番組を再生時に、当該番組に関連する第１の付加情報が有るか当該番組に関連する第２の付加情報が有るかを判定する付加情報判定手段と、当該番組に関連する第１の付加情報が有ると判定されたときには第１の付加情報をメモリに格納し、当該番組に関連する第２の付加情報が有ると判定されたときには第２の付加情報を前記メモリに格納する付加情報格納手段と、当該番組の再生が終了した後、当該番組の関連番組が前記記録媒体に有るか無いかを前記メモリに格納された第１の付加情報または第２の付加情報に基づいて判定する関連番組有無判定手段と、当該番組の関連番組が有ると判定されたときに、当該番組の関連番組を引き続き前記記録媒体から再生させる関連番組再生手段と、当該番組の再生時にスキップ操作されたときには、スキップ先に当該番組の関連番組が有る場合、スキップ先の関連番組を再生させるスキップ先関連番組再生手段とを有する再生制御部を備えたので、当該番組に関連する番組名と記録日時と示す第１の付加情報、または当該番組に関連する記録日時と曜日とチャンネル番号とを示す第２の付加情報に基づいて、現在再生中の番組の関連番組を見付け出し、それらの関連番組を連続して再生することができるようになり、また、スキップ操作されたときにスキップ先の関連番組の再生に移行することができるようになる。
【００２３】
即ち、本発明によれば、記録媒体に多数の番組が記録されていても、現在再生中の番組の関連番組を容易に見付け出し、それらの関連番組を連続して再生することができるので、ユーザにとっては、現在再生中の番組の関連番組を探す手間が省けて便利になる。また、関連番組の間でスキップさせることができるので、関連番組の中で早く視聴したい番組を再生させることができ、ユーザにとっては、使い勝手が良くなる。
【００２４】
また、本発明によれば、番組を前記記録媒体に記録する際に、当該番組に関するＥＰＧ情報が有ると判定したときに、前記ＥＰＧ情報に含まれる番組名と当該番組の記録日時とを当該番組の第１の付加情報として前記記録媒体に記録させ、当該番組に関するＥＰＧ情報が無いと判定したときに、当該番組の記録日時と曜日とチャンネル番号とを当該番組の第２の付加情報として前記記録媒体に記録させる記録制御部を備えると共に、前記記録媒体に記録された番組を再生時に、当該番組に関連する第１の付加情報が有ると判定したときには第１の付加情報をメモリに格納し、当該番組に関連する第２の付加情報が有ると判定したときには第２の付加情報を前記メモリに格納し、当該番組の再生が終了した後、前記メモリに格納されている第１の付加情報または第２の付加情報に基づいて、当該番組の関連番組が有ると判定したときに、当該番組の関連番組を引き続き前記記録媒体から再生させ、当該番組の再生時にスキップ操作されたときには、スキップ先に当該番組の関連番組が有る場合、スキップ先の関連番組を再生させる再生制御部を備えたので、当該番組に関連する番組名と記録日時と示す第１の付加情報、または当該番組に関連する記録日時と曜日とチャンネル番号とを示す第２の付加情報に基づいて、現在再生中の番組の関連番組を見付け出し、それらの関連番組を連続して再生することができるようになり、また、スキップ操作されたときにスキップ先の関連番組の再生に移行することができるようになる。
【００２５】
即ち、本発明によれば、記録媒体に多数の番組が記録されていても、現在再生中の番組の関連番組を容易に見付け出し、それらの関連番組を連続して再生することができるので、ユーザにとっては、現在再生中の番組の関連番組を探す手間が省けて便利になる。また、関連番組の間でスキップさせることができるので、関連番組の中で早く視聴したい番組を再生させることができ、ユーザにとっては、使い勝手が良くなる。
【発明を実施するための最良の形態】
【００２６】
以下、添付図面を参照しつつ、本発明の実施の形態について説明する。図１は本発明の一実施形態に係る情報記録再生装置としての複合型記録再生装置の構成を示すブロック図である。ここでは、情報記録再生装置として、光ディスク装置とハードディスク装置との複合型記録再生装置について説明するが、光ディスク装置またはハードディスク装置を含む情報記録再生装置であっても良い。
【００２７】
この複合型記録再生装置１は、光ディスクとしてのＤＶＤ（デジタル・バーサタイル・ディスク）１３に対して情報の記録／再生を行うＤＶＤレコーダである光ディスク装置２と、ＨＤ（ハードディスク）１４に対して情報の記録／再生を行うＨＤＤ（ハードディスクドライブ）としてのハードディスク装置３と、図示しないアンテナからのテレビ放送信号を受信し、所望のチャンネルのテレビ放送信号を選択して映像音声信号として出力するチューナ４と、光ディスク装置２またはハードディスク装置３から出力された映像音声信号を復号するデコーダ５と、チューナ４が受信可能な放送チャンネルを記憶すると共にシステムコントローラ１０の動作に必要なプログラムなどを記憶するフラッシュＲＯＭ６と、デコーダ５で復号された映像信号をテレビジョン受信機１２で表示可能な映像信号に変換する映像出力部７と、デコーダ５で復号された音声信号をテレビジョン受信機１２で出力可能な音声信号に変換する音声出力部８と、リモコン１１から送信された赤外光の各種の指令信号を受信し、受信した赤外光の指令信号を電気信号の指令信号に変換し、この指令信号をシステムコントローラ１０に入力するリモコン受信部９と、装置全体を制御する前記システムコントローラ１０とを備えている。
【００２８】
システムコントローラ１０は、本実施形態の特徴として、番組を記録媒体（ＨＤ１４またはＤＶＤ１３）に記録する際に、当該番組に関するＥＰＧ情報が有るか無いかを判定するＥＰＧ有無判定手段と、当該番組に関するＥＰＧ情報が有ると判定されたときに、前記ＥＰＧ情報に含まれる番組名と当該番組の記録日時とを当該番組の第１の付加情報として前記記録媒体に記録させる第１の付加情報記録手段と、当該番組に関するＥＰＧ情報が無いと判定されたときに、当該番組の記録日時と曜日とチャンネル番号とを当該番組の第２の付加情報として前記記録媒体に記録させる第２の付加情報記録手段とを有する記録制御部１０１を備えている。
【００２９】
また、システムコントローラ１０は、前記記録媒体に記録された番組を再生時に、当該番組に関連する第１の付加情報が有るか当該番組に関連する第２の付加情報が有るかを判定する付加情報判定手段と、当該番組に関連する第１の付加情報が有ると判定されたときには第１の付加情報をフラッシュＲＯＭ６に格納し、当該番組に関連する第２の付加情報が有ると判定されたときには第２の付加情報をフラッシュＲＯＭ６に格納する付加情報格納手段と、当該番組の再生が終了した後、当該番組の関連番組が前記記録媒体に有るか無いかをフラッシュＲＯＭ６に格納された第１の付加情報または第２の付加情報に基づいて判定する関連番組有無判定手段と、当該番組の関連番組が有ると判定されたときに、当該番組の関連番組を引き続き前記記録媒体から再生させる関連番組再生手段と、当該番組の再生時にスキップ操作されたときには、スキップ先に当該番組の関連番組が有る場合、スキップ先の関連番組を再生させるスキップ先関連番組再生手段とを有する再生制御部１０２を備えている。
【００３０】
図２は本実施形態において番組を記録する際に行われる付加情報の記録処理を説明するためのフローチャートである。このフローチャートおよび図１を参照して番組を記録する際に行われる付加情報の記録処理について説明する。ここでは、ハードディスクに番組を記録する際に行われる付加情報の記録処理について説明する。
【００３１】
図示しない時計手段による現在時刻が、図示しないタイマの記録予約（録画予約）による記録開始時刻になったことによって記録指示がされたとき、あるいはリモコン１１の記録キーの押下によって記録指示がされたときに、システムコントローラ１０は、記録指示がされたことを検知し（ステップＳ１）、ハードディスク装置３を記録動作させ、ＨＤ（ハードディスク）１４に対して番組の記録を開始させる（ステップＳ２）。
【００３２】
そして、システムコントローラ１０における記録制御部１０１のＥＰＧ有無判定手段は、当該番組に関するＥＰＧ情報が有るか無いかを判定する（ステップＳ３）。テレビ放送信号にＥＰＧ情報が含まれていて、このＥＰＧ情報を受信することが可能な場合には、当該番組に関するＥＰＧ情報が有ると判定されるが、テレビ放送信号にＥＰＧ情報が含まれていても、このＥＰＧ情報を受信することが不可能な場合や、テレビ放送信号にＥＰＧ情報が含まれていない場合には、当該番組に関するＥＰＧ情報は無いと判定される。
【００３３】
当該番組に関するＥＰＧ情報が有ると判定されたときは、記録制御部１０１の第１の付加情報記録手段は、当該番組に関するＥＰＧ情報に含まれる番組名と当該番組の記録日時（録画日時）とを当該番組の第１の付加情報として、ハードディスク装置３を介してＨＤ１４に記録させる（ステップＳ４）。そして、当該番組の記録が終了すれば（ステップＳ６）、本処理は終える。
【００３４】
当該番組に関するＥＰＧ情報が無いと判定されたときは、記録制御部１０２の第２の付加情報記録手段は、当該番組の記録日時（録画日時）と曜日とチャンネル番号とを当該番組の第２の付加情報として、ハードディスク装置３を介してＨＤ１４に記録させる（ステップＳ５）。そして、当該番組の記録が終了すれば（ステップＳ６）、本処理は終える。
【００３５】
図３は本実施形態において関連番組を再生する際の処理を説明するためのフローチャートである。このフローチャートおよび図１を参照して関連番組を再生する際の処理について説明する。ここでは、ＨＤ１４には、図２で説明したような記録処理により、番組と第１の付加情報または第２の付加情報とが記録されているものとして説明する。
【００３６】
先ず、リモコン１１の再生リストキーを押下して、テレビ受信機１２に再生リストを表示させ、この再生リストから所望する番組をリモコン１１により選択して決定されると、システムコントローラ１０における再生制御部１０２のスキップ先関連番組再生手段は、再生指示されたことを検知し（ステップＮ１）、ハードディスク装置３を再生動作させ、ＨＤ１４に記録されている番組の再生を開始させる（ステップＮ２）。
【００３７】
そして、当該番組の再生時に、再生制御部１０２の付加情報判定手段は、当該番組に関連する番組名と記録日時と示す第１の付加情報が有るか、当該番組に関連する記録日時と曜日とチャンネル番号とを示す第２の付加情報が有るかを判定する（ステップＮ３，Ｎ４）。当該番組に関連する第１の付加情報が有ると判定されたときには、再生制御部１０２の付加情報格納手段は、第１の付加情報をフラッシュＲＯＭ６に格納し（ステップＮ５）、当該番組に関連する第２の付加情報が有ると判定されたときには、その付加情報格納手段は、第２の付加情報をフラッシュＲＯＭ６に格納する（ステップＮ６）。
【００３８】
当該番組の再生が終了（ステップＮ７またはステップＮ８）した後、再生制御部１０２の関連番組有無判定手段は、当該番組の関連番組がＨＤ１４に有るか無いかを、フラッシュＲＯＭ６に格納されている第１の付加情報または第２の付加情報に基づいて判定する（ステップＮ９）。即ち、第１の付加情報に含まれる番組名が同じ番組は、それぞれ関連する番組になり、また、第２の付加情報に含まれる記録日時のうちの記録時刻と曜日とチャンネル番号とが同じ番組は、それぞれ関連する番組になる。したがって、当該番組の関連番組がＨＤ１４に有るか無いかを、フラッシュＲＯＭ６に格納された第１の付加情報または第２の付加情報に基づいて判定することができる。
【００３９】
当該番組の関連番組が有ると判定されたときには、再生制御部１０２の関連番組再生手段は、ハードディスク装置３を制御し、当該番組の関連番組を記録日時の順に引き続きＨＤ１４から読み出し、関連番組の再生を開始させる（ステップＮ１０）。そして、全関連番組が再生終了するまで（ステップＮ１１）、ステップＮ３〜Ｎ１０の処理が繰り返され、全関連番組の再生が終了すると、本処理は終える。なお、ステップＮ２において再生された番組が、例えば、連続ドラマの第１話であれば、ステップＮ１０において再生される番組は、その連続ドラマの第２話である。また、ステップＮ２において再生された番組が、例えば、連続ドラマの第２話であれば、ステップＮ１０において再生される番組は、その連続ドラマの第３話である。また、ステップＮ２において再生された番組が、連続ドラマの第ｎ話であれば、連続ドラマを第何話から始めるように設定するのは、スキップ操作により、自由に行うことができる。
【００４０】
一方、関連番組が無いと判定されたとき（ステップＮ９）、この後、再生指示がされると（ステップＮ１２）、システムコントローラ１０の再生制御部１０２は、当該番組の記録日時の次の記録日時の番組の再生を開始させる（ステップＮ１３）。即ち、再生制御部１０２は、当該番組とは関連しないが、当該番組の時間的に次にＨＤ１４に記録された番組を再生させる。この後は、ステップＮ３に戻り、同様な処理を行う。
【００４１】
なお、当該番組の再生時にスキップ操作されたときには、スキップ先に当該番組の関連番組が有る場合、再生制御部１０２のスキップ先関連番組再生手段は、スキップ先の関連番組を再生させる。即ち、当該番組が再生終了であると判定されるまでに、リモコン１１のスキップキー（正方向スキップキーまたは逆方向スキップキー）が押下されると、記録順または逆記録順に従って、関連番組がスキップされ、スキップ先の関連番組が再生されることになる。
【００４２】
以上説明したように本実施形態によれば、ハードディスクに多数の番組が記録されていても、現在再生中の番組の関連番組を容易に見付け出し、それらの関連番組を連続して再生することができるので、ユーザにとっては、現在再生中の番組の関連番組を探す手間が省けて便利になる。また、関連番組の間でスキップさせることができるので、関連番組の中で早く視聴したい番組を再生させることができ、ユーザにとっては、使い勝手が良くなる。
【００４３】
なお、前記実施形態では、記録媒体がハードディスクである場合について説明したが、記録媒体がＤＶＤである場合も、現在再生中の番組の関連番組を容易に見付け出し、それらの関連番組を連続して再生することができるので、ユーザにとっては、現在再生中の番組の関連番組を探す手間が省けて便利になる。また、関連番組の間でスキップさせることができるので、関連番組の中で早く視聴したい番組を再生させることができ、ユーザにとっては、使い勝手が良くなる。
【産業上の利用可能性】
【００４４】
本発明は、ハードディスクレコーダ（ハードディスク装置）やＤＶＤレコーダ（光ディスク装置）あるいはハードディスクレコーダとＤＶＤレコーダとの複合型記録再生装置などの情報記録再生装置において、記録媒体に記録された番組の中で関連番組を再生させる機能として利用可能である。
【図面の簡単な説明】
【００４５】
【図１】本発明の一実施形態に係る情報記録再生装置としての複合型記録再生装置の構成を示すブロック図である。
【図２】前記実施形態において番組を記録する際に行われる付加情報の記録処理を説明するためのフローチャートである。
【図３】前記実施形態において関連番組を再生する際の処理を説明するためのフローチャートである。
【符号の説明】
【００４６】
４    チューナ
６    フラッシュＲＯＭ（メモリ）
１３    ＤＶＤ（記録媒体）
１４    ＨＤ（記録媒体）
１０１    記録制御部
１０２    再生制御部
【図１】
2008035163.tif 000003
【図２】
2008035163.tif 000004
【図３】
2008035163.tif 000005